(57)【要約】      （修正有）【課題】印鑑を押印して対象物に印影を形成する行為を、情報処理装置を用いて再現可能とする。【解決手段】電子印鑑１０は、接触面（印面１１）に対する接触を検知する検知部と、検知部により接触を検知した場合に、接触面に、接触された位置を検知する対象面が検知可能なパターンを形成する形成部とを備える。【選択図】図１
2016177605.tif 000002
【特許請求の範囲】
【請求項１】
接触面に対する接触を検知する検知部と、
前記検知部により前記接触を検知した場合に、前記接触面に、接触された位置を検知する対象面が検知可能なパターンを形成する形成部と
を備える電子印鑑。
【請求項２】
前記接触面は、
それぞれ前記対象面に接触することで前記対象面が位置を検知可能な複数の接触部の集合体を含み、
前記形成部は、
前記接触部を前記対象面による位置の検知に対して有効および無効の何れの状態とするかを、前記複数の接触部それぞれについて制御することで、前記パターンを形成する
請求項１に記載の電子印鑑。
【請求項３】
前記形成部は、
前記複数の接触部の前記対象面による位置の検知に対する有効および無効の状態を、予め定められた順序に従い該複数の接触部毎に設定することで、前記パターンを形成する
請求項２に記載の電子印鑑。
【請求項４】
前記接触面は、
それぞれ前記対象面に接触することで前記対象面が位置を検知可能な、前記パターンに従い予め配列された複数の接触部の集合体を含み、
前記形成部は、
前記複数の接触部それぞれを、前記対象面による位置の検知が有効な状態とすることで、前記パターンを形成する
請求項１に記載の電子印鑑。
【請求項５】
前記検知部が前記接触を検知した場合に、識別情報を無線通信を用いて送信する通信部をさらに備える
請求項１乃至請求項４の何れか１項に記載の電子印鑑。
【請求項６】
画像と前記識別情報とを関連付けて登録する登録部をさらに備え、
前記形成部は、
前記画像に応じた前記パターンを形成する
請求項５に記載の電子印鑑。
【請求項７】
生体情報を予め記憶する生体情報記憶部と、
生体情報を取得し、取得した該生体情報と前記生体情報記憶部に記憶される生体情報とを比較して認証処理を行う認証部と
をさらに備え、
前記通信部は、
前記認証部による認証が成功した場合に、前記識別情報を送信する
請求項５または請求項６に記載の電子印鑑。
【請求項８】
生体情報を取得する生体情報取得部をさらに備え、
前記通信部は、
前記検知部による前記接触の検知に応じて前記生体情報を送信し、送信した該生体情報に対する認証成功通知を受信した場合に、前記識別情報を送信する
請求項５または請求項６に記載の電子印鑑。
【請求項９】
接触面に対する接触を検知する検知ステップと、
前記検知ステップにより前記接触を検知した場合に、前記接触面に、接触された位置を検知する対象面が検知可能なパターンを形成する形成ステップと
をコンピュータに実行させるための送信プログラム。
【請求項１０】
接触面に対する接触を検知する検知ステップと、
前記検知ステップにより前記接触を検知した場合に、前記接触面に、接触された位置を検知する対象面が検知可能なパターンを形成する形成ステップと
を備える送信方法。
【請求項１１】
表示部の表示面に対応して設けられた接触面に対する接触を検知する検知部と、
前記検知部により前記接触が検知された場合に、無線通信により識別情報を受信する受信部と、
前記検知部に前記接触が検知された前記接触面での位置に従い画像を取得する取得部と、
前記画像を前記表示面の前記位置に対応する位置に表示させる表示制御部と
を備え、
前記取得部は、前記受信部が前記識別情報を取得した場合に、前記画像を取得する
情報処理装置。
【請求項１２】
前記検知部は、
前記表示面に予め定められた領域に対応する前記接触面の領域に対する接触を検知する
請求項１１に記載の情報処理装置。
【請求項１３】
情報処理方法をコンピュータに実行させるための情報処理プログラムであって、
前記情報処理方法は、
表示部の表示面に対応して設けられた接触面に対する接触を検知する検知ステップと、
前記検知ステップにより前記接触が検知された場合に、無線通信により識別情報を受信する受信ステップと、
前記検知ステップに前記接触が検知された前記接触面での位置に従い画像を取得する取得ステップと、
前記画像を前記表示面の前記位置に対応する位置に表示させる表示制御ステップと
を備え、
前記取得ステップは、
前記受信ステップにより前記識別情報を受信した場合に、前記画像を取得する
情報処理プログラム。
【請求項１４】
表示部の表示面に対応して設けられた接触面に対する接触を検知する検知ステップと、
前記検知ステップにより前記接触が検知された場合に、無線通信により識別情報を受信する受信ステップと、
前記検知ステップに前記接触が検知された前記接触面での位置に従い画像を取得する取得ステップと、
前記画像を前記表示面の前記位置に対応する位置に表示させる表示制御ステップと
を備え、
前記取得ステップは、
前記受信ステップにより前記識別情報を受信した場合に、前記画像を取得する
情報処理方法。
【請求項１５】
電子印鑑と情報処理装置とを含む認証システムであって、
前記電子印鑑は、
第１の接触面に対する第１の接触を検知する第１の検知部と、
前記第１の検知部により前記第１の接触を検知した場合に、前記第１の接触面に、接触された位置を検知する対象面が検知可能なパターンを形成する形成部と、
前記検知部が前記第１の接触を検知した場合に、識別情報を無線通信を用いて送信する第１の通信部と
を備え、
前記情報処理装置は、
前記第１の通信部と前記無線通信により通信を行う第２の通信部と、
表示部の表示面に対応して設けられた第２の接触面に対する第２の接触を検知する第２の検知部と、
前記第２の検知部により前記第２の接触が検知された場合に、前記第２の通信部により受信された前記識別情報に基づき認証処理を行う認証部と、
前記検知部に前記第２の接触が検知された前記第２の接触面での位置に従い画像を取得する画像取得部と、
前記画像を前記表示面の前記位置に対応する位置に表示させる表示制御部と
を備え、
前記画像取得部は、
前記認証部による認証が成功した場合に、前記画像を取得する
認証システム。
【発明の詳細な説明】
【技術分野】
【０００１】
本発明は、電子印鑑、送信プログラム、送信方法、情報処理装置、情報処理プログラム、情報処理方法および認証システムに関する。
【背景技術】
【０００２】
従来から、書面などの認証を印鑑を用いて行うことが一般的に行われている。例えば、印鑑の印面に特定の画像を形成し、押印により印面を書面の表面に物理的に接触させて印面の画像を印影として書面に形成する。この書面に形成された印影を、認証情報として用いる。
【０００３】
一方、タッチパネルを用い、ユーザがタッチパネルに対して描画した画像をタッチパネルに表示させる技術が知られている。例えば、特許文献１には、タッチパネルに対して描画された画像を表示させると共に、さらに他の情報処理装置（パーソナルコンピュータ）などに送信する構成が開示されている。
【発明の概要】
【発明が解決しようとする課題】
【０００４】
従来では、印鑑を押印して対象物に印影を形成する行為を、情報処理装置を用いて再現することが困難であった。例えば、上述した特許文献１を用いた場合であっても、手書きにて固定的な画像を繰り返し描画することは、一般的には難しく、印鑑の押印動作を再現することは、困難である。
【０００５】
本発明は、上記に鑑みてなされたものであって、印鑑を押印して対象物に印影を形成する行為を情報処理装置を用いて電子的に再現可能とすることを目的とする。
【課題を解決するための手段】
【０００６】
上述した課題を解決するために、本発明は、接触面に対する接触を検知する検知部と、検知部により接触を検知した場合に、接触面に、接触された位置を検知する対象面が検知可能なパターンを形成する形成部とを備える。
【発明の効果】
【０００７】
本発明によれば、印鑑を押印して対象物に印影を形成する行為が情報処理装置を用いて電子的に再現可能となるという効果を奏する。
【図面の簡単な説明】
【０００８】
【図１】図１は、第１の実施形態に係る電子印鑑による押印処理を概略的に示す図である。
【図２】図２は、既存技術を適用した、第１の実施形態に係る電子印鑑の印面を構成するための要素を概略的に示す図である。
【図３】図３は、第１の実施形態に係る電子印鑑の印面の構成を概略的に示す図である。
【図４】図４は、第１の実施形態に係る印面のパターンに基づき形成される印影画像の例を示す図である。
【図５】図５は、第１の実施形態に係る、各画素素子を制御してパターンを形成する方法の例を示す図である。
【図６】図６は、第１の実施形態に係る電子印鑑の一例の構成を示すブロック図である。
【図７】図７は、第１の実施形態に適用可能なタブレット端末の一例の構成を示すブロック図である。
【図８】図８は、第１の実施形態に係る電子印鑑の機能を示す一例の機能ブロック図である。
【図９】図９は、第１の実施形態に係るタブレット端末の機能を示す一例の機能ブロック図である。
【図１０】図１０は、第１の実施形態に係る電子印鑑を用いた押印処理を説明するための図である。
【図１１】図１１は、第１の実施形態に係る電子印鑑を用いた押印処理を説明するための図である。
【図１２】図１２は、第１の実施形態に係る電子印鑑の動作を示す一例のフローチャートである。
【図１３】図１３は、第１の実施形態に係るタブレット端末の動作を示す一例のフローチャートである。
【図１４】図１４は、第２の実施形態に係る認証処理に用いる押印情報の生成方法を概略的に示すブロック図である。
【図１５】図１５は、第２の実施形態に係る認証システムにおける押印情報ファイルの登録処理を実行するための構成の例を示すブロック図である。
【図１６】図１６は、第２の実施形態に係る、電子印鑑を用いた認証処理の例を示すブロック図である。
【図１７】図１７は、第３の実施形態に係る電子印鑑による押印処理を概略的に示す図である。
【図１８】図１８は、第３の実施形態に係る電子印鑑の一例の構成を示すブロック図である。
【図１９】図１９は、第３の実施形態に係る電子印鑑の動作を示す一例のフローチャートである。
【図２０】図２０は、第３の実施形態に係るタブレット端末の動作を示す一例のフローチャートである。
【図２１】図２１は、第４の実施形態に係る電子印鑑による押印処理を概略的に示す図である。
【発明を実施するための形態】
【０００９】
以下に添付図面を参照して、電子印鑑、送信プログラム、送信方法、情報処理装置、情報処理プログラム、情報処理方法および認証システムの実施形態を詳細に説明する。
【００１０】
（第１の実施形態）
図１は、第１の実施形態に係る電子印鑑による押印処理を概略的に示す。図１において、電子印鑑１０は、印面１１に、例えば電気的にパターンが形成される。例えば、タブレット端末２０が備えるタッチパネルに所定以上の圧力で以って接触される（以下、押印と呼ぶ）ことで、タッチパネルにより印面１１のパターンがタブレット端末２０に取得される。タブレット端末２０は、取得した印面１１のパターンに基づく印影画像３０をタッチパネルを構成する表示デバイスに表示させる。
【００１１】
また、電子印鑑１０は、内蔵されるメモリに、押印者の情報を予め記憶しておくことができる。電子印鑑１０は、タブレット端末２０に押印されることで、無線通信を用いて、この押印者情報を、ファイルなどの電子メディア４０として外部に送信する。タブレット端末２０は、この電子メディア４０を受信し、電子メディア４０を用いて、認証処理や押印者情報の表示を行うことができる。
【００１２】
タブレット端末２０に用いられるタッチパネルは、接触物の接触位置の検出方式として静電容量方式を採用しているものが多い。静電容量方式は、接触物と電導膜との間の静電容量の変化に基づき接触位置を検出する。第１の実施形態では、この静電容量方式に対応し、接触点の静電容量を制御可能な構造を用いて電子印鑑１０の印面を構成する。
【００１３】
接触点の静電容量を制御可能な構造としては、特表２０１１−５１６９８５号公報に開示される技術を適用可能である。特表２０１１−５１６９８５号公報においては、互いに電気的に接続された金属製のペン先端と圧電素子とを備え、ペン先端に対応して圧電素子が配置される。ペン先端に圧電素子の方向に向けて力が働くことで、この力に応じて圧電素子が電圧を生成し、ペン先端がこの電圧により充電され、ペン先とタッチパネルの導電膜との間に静電容量が形成されるようになっている。
【００１４】
図２は、特表２０１１−５１６９８５号公報に開示される技術を適用した、第１の実施形態に係る電子印鑑１０の、タッチパネルに検知可能な印面を構成するための要素を概略的に示す。図２（ａ）に示されるように、画素素子１０１は、互いに電気的に接続された圧電部１１０と、導電性の接触部１１１とを含む。圧電部１１０は、機械的な衝撃に応じて電圧を生成する。圧電部１１０は、接触部１１１から図中に矢印で示される方向の力を受けると電圧を発生する。接触部１１１は、この電圧により充電され、接触部１１１とタッチパネルの導電膜との間に静電容量が形成される。
【００１５】
この画素素子１０１を、複数配列し、図２（ｂ）に示されるように、画素素子１０１の集合体である印面デバイス１００として用いる。
【００１６】
図３は、第１の実施形態に係る電子印鑑１０の印面１１の構成を概略的に示す。印面１１は、印面デバイス１００に含まれる各画素素子１０１の接触部１１１が、例えば格子状に配列されて構成される。
【００１７】
第１の実施形態では、電子印鑑１０において、印面１１に配列される各画素素子１０１を制御して、対象面（例えばタブレット端末２０のタッチパネル）が検知可能なパターンを形成する。タブレット端末２０は、電子印鑑１０による押印がなされると、印面１１に形成されたパターンを検知し、検知されたパターンに基づき、印影画像を形成する。
【００１８】
図４は、第１の実施形態に係る印面１１のパターンに基づき形成される印影画像３０の例を示す。図４において、印影画像３０は、例えば、印面１１から静電容量が検出された接触部１１１に対応するドット１２０、１２０、…と、静電容量が検出されなかった接触部１１１に対応するドット１２１、１２１、…とを含む。これらドット１２０および１２１の組み合わせで、印影画像３０が形成される。
【００１９】
図５は、第１の実施形態に係る、各画素素子１０１を制御してパターンを形成する方法の例を示す。図５（ａ）および図５（ｂ）において、タッチパネルにおいて接触位置の検出に有効な接触部１１１を、斜線を付して示している。図５（ａ）は、接触部１１１における静電容量の形成を行うか否かを各画素素子１０１において制御する例を示す。図５（ａ）の例では、斜線を付して示す接触部１１１、１１１、…は、接触により静電容量が形成され、白抜きで示す接触部１１１’、１１１’、…は、接触により静電容量が形成されないように制御される。
【００２０】
例えば、各画素素子１０１の配列に応じたマトリクススイッチを用いて、各画素素子１０１における圧電部１１０と接触部１１１との接続のオン／オフを制御することで、パターンを形成することができる。圧電部１１０と接触部１１１との接続がオンとされた各画素素子１０１に対応する位置が、上述のドット１２０、１２０、…となり、接続がオフとされた各画素素子１０１に対応する位置が、上述のドット１２１、１２１、…となる。
【００２１】
この例に限らず、形成するパターンに応じて接触部１１１を省略してもよい。図５（ｂ）は、形成するパターンに応じて接触部１１１を省略した印面デバイス１００’の例を示す。接触部１１１が省略された圧電部１１０’に対応する位置が、上述のドット１２１、１２１、…となる。
【００２２】
上述の図５（ａ）の構成の場合、例えばマトリクススイッチの設定を変更することで、形成されるドット１２０および１２１の構成を変えることができる。例えば、図５（ａ）の構成では、制御により印影画像３０を変更することが可能である。これに対して、図５（ｂ）の構成では、印影画像３０は、固定的なものとなる。
【００２３】
（第１の実施形態に適用可能な構成）
図６は、第１の実施形態に係る電子印鑑１０の一例の構成を示す。電子印鑑１０は、ＣＰＵ(Central  Processing  Unit)２００と、ＲＯＭ(Read  Only  Memory)２０１と、ＲＡＭ(Random  Access  Memory)２０２と、データＩ／Ｆ（インタフェース）２０３と、ドライバ２０４と、圧力センサ２０５と、印面デバイス１００とを備える。
【００２４】
なお、以下では、印面デバイス１００として、図５（ａ）で説明した構成を採用し、マトリクススイッチの制御により各画素素子１０１によるパターン形成を制御するものとする。
【００２５】
ＣＰＵ２００は、ＲＯＭ２０１に予め記憶されたプログラムに従い、ＲＡＭ２０２をワークメモリとして用いて、この電子印鑑１０の全体の動作を制御する。ＲＯＭ２０１は、例えば書き換え可能および不揮発性のメモリである。データＩ／Ｆ２０３は、ＣＰＵ２００の制御に従い、外部の機器と無線通信を行う。データＩ／Ｆ２０３は、例えばＢｌｕｅｔｏｏｔｈ（登録商標）  Ｌｏｗ  ＥｎｅｒｇｙやＮＦＣ(Near  Field  Communication)を適用することができる。データＩ／Ｆ２０３として、赤外線通信を用いてもよい。
【００２６】
ドライバ２０４は、ＣＰＵ２００の制御に従い、印面デバイス１００を制御する。例えば、ドライバ２０４は、ＲＯＭ２０１に記憶される画像データに基づくＣＰＵ２００の指示に従いマトリクススイッチを制御して、印面デバイス１００におけるパターンを形成する。
【００２７】
ドライバ２０４は、例えば、印面デバイス１００における各画素素子１０１、１０１、…を所定の速度でスキャンし、各画素素子１０１、１０１、…オン／オフを画像データに基づき画素素子１０１毎に順次に制御することで、パターンの形成を行う。これに限らず、ドライバ２０４は、画像データに基づき印面デバイス１００における全ての画素素子１０１、１０１、…を同時にオン／オフ制御してパターンの形成を行ってもよい。
【００２８】
また、ドライバ２０４は、例えばＣＰＵ２００からの指示に従い、パターンの形成を、各画素素子１０１、１０１、…のオン／オフを順次制御して行うか、同時制御して行うかを切り替えるようにすることもできる。さらに例えば、ドライバ２０４は、パターンの形成を各画素素子１０１、１０１、…のオン／オフを順次制御して行う場合において、ＣＰＵ２００からの指示に従い、各画素素子１０１、１０１、…をスキャンする速度を変更するようにもできる。
【００２９】
例えば、電子印鑑１０に、各画素素子１０１、１０１、…のオン／オフを順次制御するか同時制御するかの切り替えや、各画素素子１０１、１０１、…のスキャン速度を変更するための操作部を設けることが考えられる。ＣＰＵ２００は、この操作部に対するユーザ操作に応じて、ドライバ２０４に対して、パターンの形成方法を指示する。
【００３０】
圧力センサ２０５は、印面１１に対する圧力を検知する。圧力センサの検知結果は、ＣＰＵ２００に供給される。
【００３１】
このように、電子印鑑１０は、ＣＰＵ２００、ＲＯＭ２０１およびＲＡＭ２０２を備え、ＣＰＵ２００が、ＲＯＭ２０１に記憶されたプログラムにより動作を制御するようにされており、情報処理装置の一種として考えることができる。
【００３２】
図７は、第１の実施形態に適用可能なタブレット端末２０の一例の構成を示す。タブレット端末２０は、ＣＰＵ２２１と、ＲＯＭ２２２と、ＲＡＭ２２３と、通信Ｉ／Ｆ２２４と、ストレージ２２５と、データＩ／Ｆ２２６と、入力制御部２２７と、表示制御部２２８と、タッチパネル２３０とを含み、ＣＰＵ２２１、ＲＯＭ２２２、ＲＡＭ２２３、通信Ｉ／Ｆ２２４、ストレージ２２５、データＩ／Ｆ２２６、入力制御部２２７および表示制御部２２８がバス２２０により互いに通信可能に接続される。
【００３３】
ＣＰＵ２２１は、ＲＯＭ２２２やストレージ２２５に記憶されるプログラムに従い、ＲＡＭ２２３をワークメモリとして用いて、タブレット端末２０の全体の動作を制御する。ストレージ２２５は、例えばフラッシュメモリといった不揮発性の半導体メモリであって、ＣＰＵ２２１が動作するためのプログラムや、プログラムに参照されるデータなどが記憶される。
【００３４】
通信Ｉ／Ｆ２２４は、ＣＰＵ２２０の制御に従い、インターネットやＬＡＮといった通信ネットワークを介して外部の機器と通信を行う。データＩ／Ｆ２２６は、上述のデータＩ／Ｆ２０３と対応し、Ｂｌｕｅｔｏｏｔｈ（登録商標）  Ｌｏｗ  ＥｎｅｒｇｙやＮＦＣ、赤外線通信に対応する。
【００３５】
タッチパネル２３０は、静電容量に基づき接触位置を検知する入力デバイス２３１と、表示信号に従い画像を表示させる表示デバイス２３２とが一体的に構成される。第１の実施形態では、タッチパネル２３０の表面が、電子印鑑１０における接触面である印面１１が接触する対象面となる。入力制御部２２７は、入力デバイス２３１を駆動して、入力デバイス２３１に設けられる電導膜の電圧をスキャンし、電導膜における静電容量の変化を検出し、変化が検出された位置を示す位置情報をＣＰＵ２００に供給する。表示制御部２２８は、ＣＰＵ２００により生成された表示制御信号に従い表示デバイス２３２を駆動して、表示制御信号に応じた画像を表示させる。
【００３６】
図８は、第１の実施形態に係る電子印鑑１０の機能を示す一例の機能ブロック図である。図８において、電子印鑑１０は、検知部２５０と、形成部２５１と、登録部２５２と、通信部２５３とを含む。これら検知部２５０、形成部２５１、登録部２５２および通信部２５３は、ＣＰＵ２００上で動作するプログラムにより実現される。これに限らず、検知部２５０、形成部２５１、登録部２５２および通信部２５３の一部または全部を、独立したハードウェアにより構成してもよい。
【００３７】
検知部２５０は、圧力センサ２０５の出力に基づき、印面１１が他の物体に接触したことを検知する。形成部２５１は、画像データに基づき印面１１に対するパターンを形成する。登録部２５２は、外部からデータＩ／Ｆ２０３を介して供給された画像データと押印者情報とを関連付けてＲＯＭ２０１に記憶させ、画像データおよび押印者情報の登録を行う。通信部２５３は、検知部２５０による検知結果に応じたデータＩ／Ｆ２０３による通信を制御する。
【００３８】
これら検知部２５０、形成部２５１、登録部２５２および通信部２５３は、例えばＲＯＭ２０１に記憶され、ＣＰＵ２００上で動作する送信プログラムにより実現される。この送信プログラムは、ＲＯＭ２０１に予め組み込まれて提供される。
【００３９】
これに限らず、第１の実施形態に係る送信プログラムを、インストール可能な形式また実行可能な形式のファイルでＣＤ(Compact  Disk)、フレキシブルディスク（ＦＤ）、ＤＶＤ(Digital  Versatile  Disk)などのコンピュータで読み取り可能な記録媒体に記録して提供してもよい。
【００４０】
また、第１の実施形態の電子印鑑１０で実行される送信プログラムを、インターネットなどのネットワークに接続されたコンピュータ上に格納し、当該ネットワークを介してダウンロードさせることにより提供するように構成してもよい。また、第１の実施形態の電子印鑑１０で実行されるプログラムをインターネットなどのネットワークを経由して提供または配布するように構成してもよい。
【００４１】
第１の実施形態のタブレット端末２０で実行される送信プログラムは、上述した各部（検知部２５０、形成部２５１、登録部２５２および通信部２５３）を含むモジュール構成となっている。実際のハードウェアとしては、ＣＰＵ２００がＲＯＭ２０１から当該送信プログラムを読み出して実行することにより、上述した各部がＲＡＭ２０２などの主記憶装置上にロードされ、検知部２５０、形成部２５１、登録部２５２および通信部２５３が主記憶装置上に生成されるようになっている。
【００４２】
図９は、第１の実施形態に係るタブレット端末２０の機能を示す一例の機能ブロック図である。図９において、タブレット端末２０は、検知部２６０と、通信部２６１と、認証部２６２と、取得部２６３と、表示制御部２６４と、処理実行部２６５とを含む。これら検知部２６０、通信部２６１、認証部２６２、取得部２６３、表示制御部２６４および処理実行部２６５は、ＣＰＵ２２１上で動作するプログラムにより実現される。これに限らず、検知部２６０、通信部２６１、認証部２６２、取得部２６３、表示制御部２６４および処理実行部２６５の一部または全部を、独立したハードウェアにより構成してもよい。
【００４３】
検知部２６０は、入力制御部２２７からの信号に基づき、入力デバイス２３１に対する接触を検知する。ここで、検知部２６０は、入力デバイス２３１が接触された位置を検出し、位置情報を取得する。通信部２６１は、データＩ／Ｆ２２６による通信を制御する。認証部２６２は、押印者情報に対する認証処理を行う。取得部２６３は、検知部２６０に取得された位置情報に基づき、印影画像３０を取得する。表示制御部２６４は、表示デバイス２３２に対する表示を制御する。処理実行部２６５は、電子印鑑１０のタブレット端末２０に対する押印に対応した処理を実行する。
【００４４】
これら検知部２６０、通信部２６１、認証部２６２、取得部２６３、表示制御部２６４および処理実行部２６５は、例えばストレージ２２５上に記憶され、ＣＰＵ２２１上で動作する情報処理プログラムにより実現される。この情報処理プログラムは、インストール可能な形式また実行可能な形式のファイルでＣＤ(Compact  Disk)、フレキシブルディスク（ＦＤ）、ＤＶＤ(Digital  Versatile  Disk)などのコンピュータで読み取り可能な記録媒体に記録されて提供される。
【００４５】
また、第１の実施形態のタブレット端末２０で実行される情報処理プログラムを、インターネットなどのネットワークに接続されたコンピュータ上に格納し、当該ネットワークを介してダウンロードさせることにより提供するように構成してもよい。また、第１の実施形態のタブレット端末２０で実行されるプログラムをインターネットなどのネットワークを経由して提供または配布するように構成してもよい。さらに、第１の実施形態の情報処理プログラムを、ＲＯＭ２２２などに予め組み込んで提供するように構成してもよい。
【００４６】
第１の実施形態のタブレット端末２０で実行される情報処理プログラムは、上述した各部（検知部２６０、通信部２６１、認証部２６２、取得部２６３、表示制御部２６４および処理実行部２６５）を含むモジュール構成となっている。実際のハードウェアとしては、ＣＰＵ２２１がストレージ２２５やＲＯＭ２２２などの記憶媒体から当該情報処理プログラムを読み出して実行することにより、上述した各部がＲＡＭ２２３などの主記憶装置上にロードされ、検知部２６０、通信部２６１、認証部２６２、取得部２６３、表示制御部２６４および処理実行部２６５が主記憶装置上に生成されるようになっている。
【００４７】
（第１の実施形態に係る押印処理）
次に、第１の実施形態に係る電子印鑑１０を用いた押印処理について説明する。例えば、図１０に示されるような書類画像３００を考える。この書類画像３００は、電子印鑑１０による押印を行うための押印領域３１０ａ、３１０ｂおよび３１０ｃが設定されている。この書類画像３００は、通信Ｉ／Ｆ２２４やデータＩ／Ｆ２２６を介してタブレット端末２０に読み込まれ、表示デバイス２３２により表示される。なお、書類画像３００には、押印領域３１０ａ、３１０ｂおよび３１０ｃの位置を示す位置情報が付加されており、タブレット端末２０は、書類画像３００を読み込むことで、この位置情報を取得することができるものとする。
【００４８】
タブレット端末２０において、取得部２６３は、例えば設定された押印領域内をスキャンすることができる。例えば、入力デバイス２３１は、格子状に配列された位置取得単位をスキャンして、接触を検知しているものとする。この場合、取得部２６３は、入力制御部２２７を制御して、図１１に示されるように、例えば押印領域３１０ａにおいて、位置取得単位３１１、３１１、…に対して、矢印３１２1、３１２2、３１２3、…に示されるように、先ず水平方向にスキャンし、次に、矢印３１３1、３１３2、３１３3、…に示されるように、垂直水平方向にスキャンする。これらの水平方向および垂直方向のスキャンにより、各位置取得単位３１１、３１１、…の何れに接触がなされたかを知ることができる。
【００４９】
ここでは、取得部２６３による接触位置の取得が、入力デバイス２３１上において範囲を限定したスキャンにより行うよう説明したが、これはこの例に限定されない。すなわち、取得部２６３は、入力デバイス２３１の全面に亘ってスキャンを行い、接触位置を取得してもよい。
【００５０】
なお、電子印鑑１０において、各画素素子１０１、１０１、…をスキャンしてオン／オフを順次制御する場合、取得部２６３によるスキャンの速度と、電子印鑑１０におけるスキャンの速度とは、異なっていることが好ましい。例えば、上述したように、電子印鑑１０においてパターン形成の方法をユーザが変更可能としておき、取得部２６３による接触位置の取得結果に応じて適当なパターン形成の方法を選択することが考えられる。
【００５１】
図１２は、第１の実施形態に係る電子印鑑１０の動作を示す一例のフローチャートである。なお、図１２のフローチャートの処理に先立って、印面１１にパターンを形成するための画像データと、押印を行う押印者を示す情報である押印者情報とが関連付けられて予めＲＯＭ２０１に記憶されているものとする。
【００５２】
ステップＳ１０で、電子印鑑１０は、圧力センサ２０５の出力に応じた検知部２５０の検知結果に基づき、印面１１に対する圧力を検知したか否かを判定する。検知されていないと判定した場合、処理はステップＳ１０に戻される。一方、検知したと判定した場合、処理はステップＳ１１およびステップＳ１２に移行される。なお、ステップＳ１１およびステップＳ１２の処理は、図１２に示すように並列的に実行してもよいし、ステップＳ１１およびステップＳ１２を順次に実行してもよい。
【００５３】
ステップＳ１１で、電子印鑑１０は、形成部２５１により印面１１のパターンを形成する。例えば、形成部２５１は、ＲＯＭ２０１に記憶される画像データに基づきドライバ２０４を制御して、各画素素子１０１、１０１、…における圧電部１１０と接触部１１１との接続のオン／オフを制御して、パターンを形成する。また、ステップＳ１２で、電子印鑑１０は、通信部２５３により、登録部２５２に画像データと関連付けられて登録された押印者情報を読み出して、ＩＤ情報として、データＩ／Ｆ２０３から送信する。
【００５４】
ステップＳ１１およびステップＳ１２の処理が終了すると、図１２フローチャートによる一連の処理が終了される。
【００５５】
図１３は、第１の実施形態に係るタブレット端末２０の動作を示す一例のフローチャートである。ここでは、上述した書類画像３００を例に取り、押印領域３１０ａ〜３１０ｃの範囲内（所定領域とする）で、接触位置の検出を行うものとする。ステップＳ２０で、タブレット端末２０は、検知部２６０により、入力制御部２２７からの信号に基づき所定領域で接触が検知されたか否かを判定する。タブレット端末２０は、検知されていないと判定した場合、処理をステップＳ２０に戻す。
【００５６】
一方、ステップＳ２０で検知されたと判定した場合、タブレット端末２０は、処理をステップＳ２１に移行させる。ステップＳ２１で、タブレット端末２０は、ＩＤ情報すなわち押印者情報を受信したか否かを判定する。例えば、タブレット端末２０は、通信部２６１により電子印鑑１０からの信号を受信した場合、受信した信号がＩＤ情報であるか否かを、認証部２６２により判定する。
【００５７】
例えば、認証部２６２は、受信した信号に含まれる情報が特定のフォーマットを満たしているか否かを判定し、満たしていると判定した場合に、押印者情報が含まれると判定するようにできる。これに限らず、認証部２６２は、１以上の押印者情報を予め記憶しておき、受信した信号に、予め記憶された押印者情報と一致する情報が含まれるか否かを判定してもよい。
【００５８】
ステップＳ２１で、ＩＤ情報を受信していないと判定した場合、タブレット端末２０は、図１３のフローチャートによる一連の処理を終了させる。一方、タブレット端末２０は、ＩＤ情報を受信していると判定した場合、処理をステップＳ２２に移行させて、受信したＩＤ情報を例えばＲＡＭ２２３に記憶させる。
【００５９】
次のステップＳ２３で、タブレット端末２０は、取得部２６３により、ステップＳ２０で接触が検知された領域をスキャンして印面１１のパターンを取得する。そして、次のステップＳ２４でタブレット端末２０は、表示制御部２６４により、ステップＳ２３で取得された印面１１のパターンに基づく画像を、印影画像３０として表示デバイス２３２に表示させる。
【００６０】
そして、次のステップＳ２５で、タブレット端末２０は、処理実行部２６５により、電子印鑑１０の所定領域に対する押印に対応した処理を実行する。例えば、処理実行部２６５は、電子印鑑１０による押印が、図１０に示した書類画像３００に設けられた押印領域３１０ａ、３１０ｂおよび３１０ｃのうち何れに行われたかを判定し、押印が行われた領域に対応する処理を実行する。
【００６１】
ステップＳ２５での処理は、様々なものが考えられる。例えば、印影画像３０を押印が行われた領域（例えば押印領域３１０ａ）に応じて書類画像３００内に合成して、印影画像３０が押印領域３１０ａ内に表示された書類画像３００を作成することができる。また例えば、書類画像３００に、作成者情報などを含む書誌情報が属性情報として付加されている場合、ステップＳ２２でＲＡＭ２２３に記憶されたＩＤ情報（押印者情報）を、書誌情報として属性情報に追加してもよい。
【００６２】
さらに、ステップＳ２５において、押印が行われた押印領域であることを示す押印済情報を、例えば書類画像３００の属性情報に、書誌情報として付与してもよい。この場合、タブレット装置２０は、押印領域３１０ａ〜３１０ｃの全ての押印領域に押印が行われたか否かを判定することが可能となる。タブレット端末２０は、例えば、押印領域３１０ａ〜３１０ｃうち行われていない領域があると判定した場合、押印作業が未完了と判断し、押印領域３１０ａ〜３１０ｃ全てに対して押印が行われたと判定した場合、押印作業が完了したと判断する。押印作業が完了していない書類画像３００を未承認の書類として管理し、押印作業が完了した書類画像３００は、承認済みの書類として管理する事が可能となる。この管理自体はタブレット端末２０で行ってもよく、あるいは書類画像３００を保管する保管装置などで行ってもよい。
【００６３】
このように、第１の実施形態によれば、電子印鑑１０を対象面すなわちタブレット端末２０のタッチパネル２３０に接触させることで、印面１１に形成されたパターンを印影画像３０としてタブレット端末２０に表示させることができ、情報処理装置を用いた押印動作を実現できる。さらに、第１の実施形態に係る電子印鑑１０では、印面１１の対象面に対する接触に応じて、押印者情報を送信するようにしているため、タブレット端末２０側において、押印者の情報を確認することができる。
【００６４】
なお、上述では、電子印鑑１０は、押印時にＩＤ情報を送信し、タブレット端末２０は、電子印鑑１０の印面１１のパターンを印影画像３０として表示させると共に、ＩＤ情報（押印者情報）を取得しているが、これはこの例に限定されない。
【００６５】
例えば、電子印鑑１０は、押印時にＩＤ情報を送信せず、タブレット端末２０もこれに対応して、ステップＳ２１によるＩＤ情報の受信の有無に基づく判定を行わないようにしてもよい。この場合、電子印鑑１０の印面１１のパターンがタブレット端末２０に取得され印影画像３０として表示されるのみとなる。押印者情報を必要としない印鑑、例えば一般的な事務に用いられるゴム印などを電子印鑑１０を用いて構成する場合には、印影画像３０のみで十分であると考えられる。
【００６６】
また例えば、電子印鑑１０は、印面１１に電気的なパターンを持たず、押印時にＩＤ情報のみを送信するようにもできる。この場合、タブレット端末２０は、印面１１のパターンのスキャンを行なわず、ＩＤ情報の受信および受信したＩＤ情報に基づく判定処理を行う。押印者の認証が必要とされている場合には、このＩＤ情報の送受信のみでも印鑑としての目的は達成可能である。
【００６７】
この場合において、タブレット端末２０の例えばストレージ２２５に、ＩＤ情報に関連付けられた印影画像３０を予め記憶しておくことで、押印に応じた印影画像３０の表示を更に行うことができる。
【００６８】
（第２の実施形態）
次に、第２の実施形態について説明する。第２の実施形態は、電子印鑑１０を用いた認証システムの例である。図１４は、第２の実施形態に係る認証処理に用いる押印情報の生成方法を概略的に示す。図１４において、押印情報作成部４００は、印面画像取得部４１０と、押印者情報取得部４１１と、暗号化部４１２と、ファイル作成部４１３とを含む。この押印情報作成部４００は、例えば、電子印鑑１０に押印者情報と印面１１に形成するパターンとを登録するための登録サーバに含まれる。
【００６９】
印面画像取得４１０は、印面１１に形成するパターンの元となる画像を取得する。画像は、例えば電子印鑑１０を利用するユーザ（押印者）により提供される。印面画像取得部４１０で取得された画像の画像データは、ファイル作成部４１３に供給される。押印者情報取得部４１１は、押印者の情報（押印者ＩＤ）を取得する。ここで、押印者情報は、押印者自身が入力するデータでもよいし、押印者に関して他のシステムから取得した情報でもよい。押印者情報取得部４１１で取得された押印者情報は、暗号化部４１２により所定の暗号化方式を用いて暗号化され、ファイル作成部４１３に供給される。
【００７０】
ファイル作成部４１３は、印面画像取得部４１０から供給された画像データと、暗号化部４１２から供給された暗号化された押印者情報とを関連付けて１つのファイルに格納し、押印情報ファイル４２０を作成する。例えば、ファイル作成部４１３は、暗号化された押印者情報を、ヘッダ情報またはフッタ情報として、印面画像取得部４１０から供給された画像データに付加することで、押印情報ファイル４２０を作成する。
【００７１】
図１５は、第２の実施形態に係る認証システムにおける、電子印鑑１０に対する押印情報ファイルの登録処理を実行するための構成の例を示す。登録サーバ７０は、図１４の押印情報作成部４００を含む。登録サーバ７０には、押印者情報と印面１１を形成するための画像データが供給される。登録サーバ７０は、図１４を用いて説明したように、供給された押印者情報を暗号化して画像データに付加した押印情報ファイル４２０を作成する。
【００７２】
登録サーバ７０は、作成した押印情報ファイル４２０を電子印鑑１０に登録する。例えば、登録サーバ７０は、電子印鑑１０のデータＩ／Ｆ２０３に対応する通信により、押印情報ファイル４２０を電子印鑑１０に送信する。押印情報ファイル４２０は、電子印鑑１０のデータＩ／Ｆ２０３に受信される。電子印鑑１０において、登録部２５２は、この押印情報ファイル４２０をＲＯＭ２０１に記憶させ、押印情報の登録を行う。
【００７３】
電子印鑑１０において、形成部２５１は、押印時に、この押印情報ファイル４２０に含まれる画像データに基づき、印面１１のパターンを形成する。また、通信部２５３は、押印時に、押印情報ファイル４２０をタブレット端末２０に送信する。これに限らず、通信部２５３は、押印情報ファイル４２０から押印者情報を抽出してタブレット端末２０に送信してもよい。
【００７４】
なお、この押印情報ファイル４２０の電子印鑑１０への登録処理は、例えばパスワードの設定などにより、特定の権限を持つ者のみが実行可能とすると好ましい。
【００７５】
登録サーバ７０は、さらに、供給された押印者情報および画像データのうち、少なくとも押印者情報を、認証サーバ５０に送信する。認証サーバ５０は、登録サーバ７０から送信された押印者情報の暗号を復号して押印者情報データベース（ＤＢ）６０に格納する。
【００７６】
図１６は、第２の実施形態に係る、電子印鑑１０を用いた認証処理の例を示す。上述のようにして押印情報ファイル４２０が登録された電子印鑑１０を用いてタブレット端末２０に対して押印を行うと、電子印鑑１０から押印情報ファイル４２０が送信される。タブレット端末２０は、電子印鑑１０から送信された押印情報ファイル４２０を受信すると共に、印面１１のパターンをスキャンして印影画像３０を取得して表示デバイス２３２に表示する。
【００７７】
また、タブレット端末２０は、受信した押印情報ファイル４２０を、たとえは通信Ｉ／Ｆ２２４により認証サーバ５０に送信する。認証サーバ５０は、押印情報ファイル４２０に含まれる、暗号化された押印者情報の暗号を復号する。そして、認証サーバ５０は、押印者情報ＤＢ６０を参照して、暗号を復号した押印者情報と一致する情報が登録されているか否かを判定し、押印者情報の認証を行う。認証結果は、タブレット端末２０に送信される。
【００７８】
タブレット端末２０は、認証サーバ５０から送信された認証結果を、例えば通信Ｉ／Ｆ２２４により受信する。タブレット端末２０は、認証部２６２により認証結果を判定し、認証結果が認証成功を示していると判定した場合に、処理実行部２６５により、押印に応じた処理を実行させる。一方、タブレット端末２０は、認証部２６２が認証失敗を示していると判定した場合には、何もしない。認証失敗のメッセージをユーザに提示してもよい。
【００７９】
なお、図１５および図１６では、押印者情報に基づく認証を行う認証サーバ５０および押印者情報ＤＢ６０が、タブレット端末２０に対して外部の構成であるように説明したが、これはこの例に限定されない。すなわち、認証サーバ５０および押印者情報ＤＢ６０を、タブレット端末２０に含めることも可能である。
【００８０】
第２の実施形態では、押印者情報と、印面１１のパターンを形成するための画像データとが関連付けられて、１つの押印情報ファイル４２０として管理される。そのため、第２の実施形態に係る電子印鑑１０は、異なる複数の押印情報ファイル４２０をＲＯＭ２０１に記憶させておき、例えば電子印鑑１０にスイッチなどを設けて複数の押印情報ファイル４２０を切り替えて使用することが可能である。
【００８１】
（第３の実施形態）
次に、第３の実施形態について説明する。第３の実施形態は、第１の実施形態で説明した電子印鑑１０に対して生体情報を取得する機能を追加し、生体情報による認証処理を可能としたものである。
【００８２】
図１７は、第３の実施形態に係る電子印鑑による押印処理を概略的に示す。なお、図１７において、上述した図１と共通する部分には同一の符号を付して、詳細な説明を省略する。図１７において、電子印鑑１０’は、生体情報取得部１２を有する。生体情報取得部１２は、例えば手指９０が触れることにより、手指９０から生体情報を取得できる。生体情報としては、指紋や静脈パターンなど様々に考えられるが、電子印鑑１０の使用形態を考慮すると、指紋を採用するのが好ましい。
【００８３】
また、図１７において、認証サーバ５０’は、図１５で説明した認証サーバ５０に対して、押印者情報の代わりに生体情報を取得し、押印者情報として押印者情報ＤＢ６０に格納する。これに限らず、認証サーバ５０’は、上述の押印者情報に対して生体情報を追加して格納してもよい。
【００８４】
電子印鑑１０’は、上述と同様に、タブレット端末２０が備えるタッチパネルに対して押印されることで、印面１１のパターンがタブレット端末２０に取得される。タブレット端末２０は、取得した印面１１のパターンに基づく印影画像３０をタッチパネルを構成する表示デバイスに表示させる。
【００８５】
また、電子印鑑１０’は、押印に伴い、押印者情報を送信する。このとき、電子印鑑１０は、生体情報取得部１２により取得された生体情報を、押印者情報と共にタブレット端末２０に送信する。タブレット端末２０は、生体情報を認証サーバ５０’に送信する。認証サーバ５０’は、押印者情報ＤＢ６０を参照し、タブレット端末２０から送信された生体情報に対応する生体情報が登録されているか否かを判定し、判定結果に基づく認証結果をタブレット端末２０に送信する。
【００８６】
この第３の実施形態の構成によれば、電子印鑑１０の所有者を特定することが可能であり、電子印鑑１０のセキュリティをより強固とすることができる。
【００８７】
図１８は、第３の実施形態に係る電子印鑑１０’の一例の構成を示す。なお、図１８において、上述した図６と共通する部分には同一の符号を付して、詳細な説明を省略する。
【００８８】
図１８に示されるように、第３の実施形態に係る電子印鑑１０’は、図６に示した第１の実施形態に係る電子印鑑１０に対して生体情報取得装置２１０が追加されている。生体情報取得装置２１０は、例えば画像取得部と指紋画像抽出部とを備え、画像取得部により取得された手指の画像から、指紋画像を抽出することができるようになっている。生体情報取得装置２１０は、取得した指紋画像を生体情報としてＣＰＵ２００に供給する。
【００８９】
図１９は、第３の実施形態に係る電子印鑑１０’の動作を示す一例のフローチャートである。なお、図１９のフローチャートの処理に先立って、印面１１にパターンを形成するための画像データと、押印を行う押印者を示す情報である押印者情報とが関連付けられて予めＲＯＭ２０１に記憶されているものとする。
【００９０】
ステップＳ３０で、電子印鑑１０’は、圧力センサ２０５の出力に応じた検知部２５０の検知結果に基づき、印面１１に対する圧力を検知したか否かを判定する。検知されていないと判定した場合、処理はステップＳ３０に戻される。一方、検知したと判定した場合、電子印鑑１０’は、処理をステップＳ３１に移行させる。
【００９１】
ステップＳ３１で、電子印鑑１０’は、生体情報取得装置２１０において生体情報が取得されたか否かを判定する。電子印鑑１０’は、取得されていないと判定した場合、処理をステップＳ３０に戻す。一方、電子印鑑１０’は、生体情報を取得したと判定すると、処理をステップＳ３２に移行させ、通信部２５３により、取得した生体情報をデータＩ／Ｆ２０３から送信する。
【００９２】
生体情報を送信すると、電子印鑑１０’は、処理をステップＳ３３およびステップＳ３４に移行させる。なお、ステップＳ３３およびステップＳ３４の処理は、図１９に示すように並列的に実行してもよいし、ステップＳ３３およびステップＳ３４を順次に実行してもよい。
【００９３】
ステップＳ３３で、電子印鑑１０’は、図１２のステップＳ１１と同様にして、形成部２５１により印面１１のパターンを形成する。また、ステップＳ３４で、図１２のステップＳ１２と同様にして、電子印鑑１０’は、通信部２５３により、登録部２５２に画像データと関連付けられて登録された押印者情報を読み出して、ＩＤ情報として、データＩ／Ｆ２０３から送信する。
【００９４】
ステップＳ３３およびステップＳ３４の処理が終了すると、図１９フローチャートによる一連の処理が終了される。
【００９５】
図２０は、第３の実施形態に係るタブレット端末２０の動作を示す一例のフローチャートである。ステップＳ４０で、タブレット端末２０は、検知部２６０により、入力制御部２２７からの信号に基づき所定領域で接触が検知されたか否かを判定する。タブレット端末２０は、検知されていないと判定した場合、処理をステップＳ４０に戻す。
【００９６】
一方、ステップＳ４０で検知されたと判定した場合、タブレット端末２０は、処理をステップＳ４１に移行させる。ステップＳ４１で、タブレット端末２０は、生体情報を受信したか否かを判定する。例えば、タブレット端末２０は、通信部２６１により電子印鑑１０からの信号を受信した場合、受信した信号が生体情報であるか否かを、認証部２６２により判定する。生体情報を受信していないと判定した場合、タブレット端末２０は、処理をステップＳ４０に戻す。
【００９７】
一方、タブレット端末２０は、生体情報を受信したと判定した場合、処理をステップＳ４２に移行させる。タブレット端末２０は、認証部２６２により、受信した生体情報を用いた認証処理を実行する。この例では、外部の認証サーバ５０’により認証を行うため、認証部２６２は、生体情報を認証サーバ５０’に送信する。認証サーバ５０’は、タブレット端末２０から送信された生体情報に対して認証処理を行い、認証結果をタブレット端末２０に返す。
【００９８】
次のステップＳ４３で、タブレット端末２０は、認証部２６２により、認証サーバ５０’から送信された認証結果に基づき認証が成功したか否かを判定する。タブレット端末２０は、認証部２６２により認証が失敗したと判定された場合、処理をステップＳ４０に戻す。すなわち、この場合、タブレット端末２０は、電子印鑑１０’の押印に対して何もしない。
【００９９】
一方、タブレット端末２０は、認証部２６２により認証が成功したと判定された場合、処理をステップＳ４４に移行させる。ステップＳ４４で、タブレット端末２０は、ＩＤ情報すなわち押印者情報を受信したか否かを判定する。受信していないと判定し場合、タブレット端末２０は、図２０のフローチャートによる一連の処理を終了させる。一方、タブレット端末２０は、ＩＤ情報を受信していると判定した場合、処理をステップＳ４５に移行させて、受信したＩＤ情報を例えばＲＡＭ２２３に記憶させる。
【０１００】
タブレット端末２０は、次のステップＳ４６で、取得部２６３により、ステップＳ２０で接触が検知された領域をスキャンして印面１１のパターンを取得し、次のステップＳ４７で、表示制御部２６４により、ステップＳ２３で取得された印面１１のパターンに基づく画像を、印影画像３０として表示デバイス２３２に表示させる。そして、次のステップＳ４８で、タブレット端末２０は、処理実行部２６５により、電子印鑑１０’の所定領域に対する押印に対応した処理を実行する。
【０１０１】
（第４の実施形態）
次に、第４の実施形態について説明する。上述の第３の実施形態では、生体情報による認証を、外部の認証サーバ５０’で実行するように説明した。これに対して、第４の実施形態では、生体情報を用いた認証処理を、電子印鑑の内部で実行する。
【０１０２】
図２１は、第４の実施形態に係る電子印鑑による押印処理を概略的に示す。第４の実施形態では、上述の第３の実施形態に係る電子印鑑１０’と同等の生体情報取得部１２を備える電子印鑑１０”において、ＲＯＭ２０１を生体情報記憶部として用いて予め生体情報を記憶させておき、図１９のステップＳ３１で生体情報取得装置２１０により取得された生体情報と、ＲＯＭ２０１に予め記憶された生体情報とを比較して認証を行う。電子印鑑１０”は、認証が成功した場合に、押印者情報を電子メディア４０として外部に送信する。
【０１０３】
この場合、生体情報による認証が成功した場合の電子印鑑１０”の処理は、第１の実施形態による、図１２のフローチャートにおけるステップＳ１１以降の処理と同一となる。一方、電子印鑑１０”は、生体情報による認証が失敗した場合には、印面１１のパターン形成および押印者情報の送信を行わない。また、タブレット端末２０における処理は、第１の実施形態による図１３のフローチャートにおける処理と同様なので、ここでの説明を省略する。
【０１０４】
さらに、この第４の実施形態においても、電子印鑑１０”は、複数の生体情報を持つことができる。この場合、電子印鑑１０”は、複数の生体情報のそれぞれについて、生体情報と、押印者情報および印面１１のパターンを形成するための画像データとを１対１に関連付けて、例えばＲＯＭ２０１に記憶させておく。これにより、１つの電子印鑑１０”を用いて、複数の押印者を識別することができる。このように、第４の実施形態による電子印鑑１０”は、携帯用の認証装置として利用できる。
【０１０５】
なお、第４の実施形態に係る電子印鑑１０”による、生体情報に基づく認証を行う機能は、図８で説明した電子印鑑１０においてＣＰＵ２００によりプログラムに従い実現される機能の一つとして追加することができる。
【０１０６】
なお、上述の実施形態は、本発明の好適な実施の例ではあるがこれに限定されるものではなく、本発明の要旨を逸脱しない範囲において種々の変形による実施が可能である。
【符号の説明】
【０１０７】
１０，１０’，１０”  電子印鑑
１１  印面
１２  生体情報取得部
２０  タブレット端末
３０  印影画像
５０，５０’  認証サーバ
７０  登録サーバ
１００，１００’  印面デバイス
１０１  画素素子
１１０，１１０’  圧電部
１１１  接触部
２００，２２１  ＣＰＵ
２０１，２２２  ＲＯＭ
２０２，２２３  ＲＡＭ
２０３，２２６  データＩ／Ｆ
２０４  ドライバ
２０５  圧力センサ
２１０  生体情報取得装置
２３０  タッチパネル
２３１  入力デバイス
２３２  表示デバイス
２５０，２６０  検知部
２５１  形成部
２５２  登録部
２５３，２６１  通信部
２６２  認証部
２６３  取得部
２６４  表示制御部
２６５  処理実行部
３１０ａ，３１０ｂ，３１０ｃ  押印領域
４００  押印情報作成部
４１０  印面画像取得部
４１１  押印者情報取得部
４１３  ファイル作成部
４２０  押印情報ファイル
【先行技術文献】
【特許文献】
【０１０８】
【特許文献１】特開２０１３−２２２３２４号公報
【図１】
2016177605.tif 000003
【図２】
2016177605.tif 000004
【図３】
2016177605.tif 000005
【図４】
2016177605.tif 000006
【図５】
2016177605.tif 000007
【図６】
2016177605.tif 000008
【図７】
2016177605.tif 000009
【図８】
2016177605.tif 000010
【図９】
2016177605.tif 000011
【図１０】
2016177605.tif 000012
【図１１】
2016177605.tif 000013
【図１２】
2016177605.tif 000014
【図１３】
2016177605.tif 000015
【図１４】
2016177605.tif 000016
【図１５】
2016177605.tif 000017
【図１６】
2016177605.tif 000018
【図１７】
2016177605.tif 000019
【図１８】
2016177605.tif 000020
【図１９】
2016177605.tif 000021
【図２０】
2016177605.tif 000022
【図２１】
2016177605.tif 000023